(57)【要約】【課題】通気性・通水性がよく、かつ土漏れが生じにくく、また虫が植物栽培用容器内に侵入しにくく、かつ製造コストが安い植物栽培用容器を提供する。【解決手段】側壁部７と底面部５とを有し上面が開口したプラスチック成形体である植物栽培用容器１であって、底面部の一部若しくは全面及び側壁部の下部の一部若しくは全面にメッシュ部３１を有し、植物栽培用容器の内側に突設された１２個のリブ６を有し、メッシュ部及びリブが、側壁部及び底面部の射出成形時に一体形成されるものであって、メッシュ部が、穴の短辺又は短径が０．２ｍｍ以上１．５ｍｍ以下である多数の穴を有するものであって、前記側壁部の下部が、前記底面部と成す外角が５°以上４５°以下である構成とする。【選択図】図８
2016214177.tif 000002
【特許請求の範囲】
【請求項１】
側壁部と底面部とを有し上面が開口したプラスチック成形体である植物栽培用容器であって、
前記底面部の一部若しくは全面及び前記側壁部の下部の一部若しくは全面にメッシュ部を有し、
前記植物栽培用容器の内側に突設されたリブを有し、
前記メッシュ部及び前記リブが、前記側壁部及び前記底面部の射出成形時に一体形成されるものであって、
前記メッシュ部が、穴の短辺又は短径が０．２ｍｍ以上１．５ｍｍ以下である多数の穴を有するものであって、
前記側壁部の下部が、前記底面部と成す外角が５°以上４５°以下であることを特徴とする植物栽培用容器。
【請求項２】
筒状であってプラスチック成形体であり側壁部の上方を構成する上側部品と、
前記上側部品の下方に一体に成形するプラスチック成形体であり側壁部の上方と底面部とを構成する底側部品とからなり、
前記底側部品の底面の一部若しくは全面又は前記底側部品の底面及び側面の一部若しくは全面に、前記底側部品の射出成形時に一体形成されるメッシュ部を有し、
前記メッシュ部が、穴の短辺又は短径が０．２ｍｍ以上１．５ｍｍ以下である多数の穴を有するものであって、
前記メッシュ部中央部から端部に向かって放射状に畝部を有することを特徴とする植物栽培用容器。
【請求項３】
筒状であってプラスチック成形体であり側壁部の上方を構成する上側部品と、
前記上側部品の下方に一体に成形するプラスチック成形体であり側壁部の上方及び底面部を構成する底側部品と
からなり、
前記底側部品の底面の一部若しくは全面又は前記底側部品の底面及び側面の一部若しくは全面に前記底側部品の射出成形時に一体形成されるスリット部を有し、
前記スリット部が、スリット穴の短辺が０．２ｍｍ以上１．５ｍｍ以下であることを特徴とする植物栽培用容器。
【発明の詳細な説明】
【技術分野】
【０００１】
本発明は、プラスチックでなる植物栽培用容器に関する。植物栽培用容器には、植木鉢、プランター、育苗用ポット等を含む。
【背景技術】
【０００２】
従来より多用されていた素焼きの植物栽培用容器は、重く、しかも割れ易いという難点があるところから、最近は、そのような欠点を持たないプラスチックの植物栽培用容器が提案され、市場に提供されている。そのようなプラスチックの植物栽培用容器は、軽量で割れにくい反面、通気性が悪く、また、通水性も悪いため、素焼きの植物栽培用容器に比べ、植物の生育環境が良くないという問題がある。通気性・通水性の問題を解決した発明は、例えば、特許文献１に開示されている。（例えば、特許文献１参照）。
【先行技術文献】
【特許文献】
【０００３】
【特許文献１】実用新案登録第３１６５７２４号公報
【発明の概要】
【発明が解決しようとする課題】
【０００４】
上述した特許文献１に記載された植物栽培用容器では、土が漏れてしまったり、水抜き穴から鉢内部に虫が侵入することを防止することはできるが、通気／通水性薄板を、底部に対してインサート成形する必要があるという問題があった。
【０００５】
インサート成形とは、埋め込み対象のインサート品（金属又は樹脂又は不織布等）を金型内に装填し、そのインサート品の周りに溶融樹脂を注入して固化させ一体化する成形方法である。かかる方法では、異種材料の一体成形を可能とする一方で、単一材料の通常の成形よりは、工程数が多く、製造コストや製造時間がかかるという問題があった。
【０００６】
本発明は、上述したような、プラスチック製の植物栽培用容器では、軽くて扱いやすい一方で通気性・通水性が素焼きの植物栽培用容器に劣るという課題を解決するとともに、土漏れ防止や虫の侵入防止に製造コストがかかるという課題を解決するためになされたものであり、第１の目的は、通気性・通水性がよく、かつ土漏れが生じにくく、また虫が植物栽培用容器内に侵入しにくく、かつ製造コストが安い植物栽培用容器を得ることである。
【課題を解決するための手段】
【０００７】
本発明の第１の態様は、側壁部と底面部とを有し上面が開口したプラスチック成形体である植物栽培用容器であって、
前記底面部の一部若しくは全面及び前記側壁部の下部の一部若しくは全面にメッシュ部を有し、
前記植物栽培用容器の内側に突設されたリブを有し、
前記メッシュ部及び前記リブが、前記側壁部及び前記底面部の射出成形時に一体形成されるものであって、
前記メッシュ部が、穴の短辺又は短径が０．２ｍｍ以上１．５ｍｍ以下である多数の穴を有するものであって、
前記側壁部の下部が、前記底面部と成す外角が５°以上４５°以下であることを特徴とする植物栽培用容器を提供する。
【０００８】
本態様によれば、適切な穴径のメッシュ部を有するので通気性・通水性がよく、メッシュ部を形成するためにインサート成形をする必要がなく、製造コストを抑えることができる。したがって、本発明の第１の態様の植物栽培用容器によれば、通気性・通水性がよく、かつ土漏れが生じにくく、また虫が植物栽培用容器内に侵入しにくく、かつ製造コストが安い。
【０００９】
また、本態様によれば、リブ部を有し、かつ側面のメッシュ部からも光が入るので、サークリング現象を抑えることができる。
【００１０】
本発明の第２の態様は、筒状であってプラスチック成形体であり側壁部の上方を構成する上側部品と、
前記上側部品の下方に一体に成形するプラスチック成形体であり側壁部の上方と底面部とを構成する底側部品とからなり、
前記底側部品の底面の一部若しくは全面又は前記底側部品の底面及び側面の一部若しくは全面に、前記底側部品の射出成形時に一体形成されるメッシュ部を有し、
前記メッシュ部が、穴の短辺又は短径が０．２ｍｍ以上１．５ｍｍ以下である多数の穴を有するものであって、
前記メッシュ部中央部から端部に向かって放射状に畝部を有することを特徴とする植物栽培用容器を提供する。
【００１１】
本態様によれば、メッシュ部を有するので通気性・通水性がよく、メッシュ部を形成するためにインサート成形をする必要がなく、製造コストを抑えることができる。したがって、本発明の第１の態様の植物栽培用容器によれば、通気性・通水性がよく、かつ土漏れが生じにくく、また虫が植物栽培用容器内に侵入しにくく、かつ製造コストが安い。
【００１２】
本発明の第３の態様の植物栽培用容器は、筒状であってプラスチック成形体であり側壁部の上方を構成する上側部品と、
前記上側部品の下方に一体に成形するプラスチック成形体であり側壁部の上方及び底面部を構成する底側部品と
からなり、
前記底側部品の底面の一部若しくは全面又は前記底側部品の底面及び側面の一部若しくは全面に前記底側部品の射出成形時に一体形成されるスリット部を有し、
前記スリット部が、スリット穴の短辺が０．２ｍｍ以上１．５ｍｍ以下であることを特徴とする植物栽培用容器を提供する。
【００１３】
本態様によれば、スリット部を有するので通気性・通水性がよく、スリット部を形成するためにインサート成形をする必要がなく、製造コストを抑えることができる。したがって、本発明の第２の態様の植物栽培用容器によれば、通気性・通水性がよく、かつ土漏れが生じにくく、また虫が植物栽培用容器内に侵入しにくく、かつ製造コストが安い。
【発明の効果】
【００１４】
本発明の植物栽培用容器によれば、通気性・通水性がよく、かつ土漏れが生じにくく、また虫が植物栽培用容器内に侵入しにくく、かつ製造コストが安い。したがって、軽くて扱いやすいというプラスチック製の植物栽培用容器の利点を生かしつつ、通気性・通水性が素焼きの植物栽培用容器に近づけることができ、かつ土漏れや虫の侵入を防止できる。
【図面の簡単な説明】
【００１５】
【図１】本発明の実施例１の植物栽培用容器の斜視図である。
【図２】本発明の実施例１の植物栽培用容器の正面図である。
【図３】本発明の実施例１の植物栽培用容器の左側面図である。
【図４】本発明の実施例１の植物栽培用容器の平面図である。
【図５】本発明の実施例１の植物栽培用容器の底面図である。
【図６】本発明の実施例１の植物栽培用容器のＡ-Ａ断面図である。
【図７】本発明の実施例１の植物栽培用容器のＡ-Ａ断面図である。
【図８】本発明の実施例２の植物栽培用容器の斜視図である。
【図９】本発明の実施例２の植物栽培用容器の正面図である。
【図１０】本発明の実施例２の植物栽培用容器の左側面図である。
【図１１】本発明の実施例２の植物栽培用容器の平面図である。
【図１２】本発明の実施例２の植物栽培用容器の底面図である。
【図１３】本発明の実施例２の植物栽培用容器のＡ-Ａ断面図である。
【図１４】本発明の実施例２の植物栽培用容器のＡ-Ａ断面一部拡大図である。
【発明を実施するための形態】
【００１６】
以下、本発明について、添付図面を適宜参照して実施例を用いて好適な実施の形態を具体的に説明するが、本発明はこれらに限定されるものではない。
【００１７】
｛植物栽培用容器：実施例１｝
本発明の実施例１の植物栽培用容器の構造について図を用いて説明する。
【００１８】
（構成）
図１は、本発明の実施例１の植物栽培用容器の斜視図である。図１では底面側を上にして伏せた状態を示す。図２は、本発明の実施例１の植物栽培用容器の正面図である。背面図は正面図と対称である。図３は、本発明の実施例１の植物栽培用容器の左側面図である。右側面図は左側面図と対称である。図４は、本発明の実施例１の植物栽培用容器の平面図である。図５は、本発明の実施例１の植物栽培用容器の底面図である。図６は、本発明の実施例１の植物栽培用容器のＡ-Ａ断面図である。図７は、本発明の実施例１の植物栽培用容器のＡ-Ａ断面一部拡大図である。
【００１９】
本発明の実施例１の植物栽培用容器１は、筒状であってプラスチック成形体であり側壁部の上方を構成する上側部品２と、上側部品２の下方に一体に成形するプラスチック成形体であり側壁部の上方及び底面部を構成する底側部品３とからなり、底側部品３の底面に底側部品３の射出成形時に一体形成される円形のメッシュ部３１を有し、メッシュ部３１が、角型の多数の穴すなわち開口となっており、各穴は、底内面側では０．３ｍｍ角の正方形であり、底外面側では０．４ｍｍ角の正方形となっている。本実施例において、側壁部は、底側部品３の上部と上側部品２とで形成され、底面部は、底側部品３の下部で形成される。
【００２０】
メッシュ部の各穴の大きさは、本実施例では、外面側の方が内面側より穴が大きいが、逆であってもよいし、両面同じ大きさであってもよい。また、穴の形は、円形若しくは楕円形の丸型又は正方形若しくは長方形の角型であってもよい。各穴の大きさは、穴の短辺又は短径が０．２ｍｍ以上１．５ｍｍ以下であることが好ましい。また、本実施例では、メッシュ部３１中央部から端部に向かって放射状に畝部３２を有する。
【００２１】
射出成形時には、ガスベント機能を有するエジェクタピンを使用して、メッシュ部３１中央から放射状に設けられた畝部３２へと樹脂を流し、メッシュ部３１の微細なメッシュの隅々まで樹脂を行きわたらせる。本実施例によれば、金型内で発生するガスを効率よく外に逃して、インサート品を使用せずにメッシュ部３１を底側部品３内に形成することができる。また、成形不良の低減、生産性の向上を図ることができる。
【００２２】
本発明の実施例１の植物栽培用容器１では、上側部品２、底側部品３ともにポリプロピレン樹脂であるが、これに限定されない。例えば、上側部品２がＡＢＳ樹脂で底側部品３がポリプロピレン樹脂であってもよい。底側部品３は、光透過性の高い樹脂であることが好ましい。草木の根の部分に外光が当たることで、草木の生育を促すことが可能となる。また、植物栽培用容器内部の状態を、土を取り出さずに見ることができるので、根の張り方や土の状態を植物栽培用容器から植物を取り出さずに観察することができる。例えば、根が張りすぎている等の問題を植物栽培用容器に入れたまま知ることができるので、植え替え時期等を的確に知ることができる。
【００２３】
射出成形で形成した上側部品２の下方に、底側部品３を射出成形で一体として形成する。上側部品２と底側部品３は、例えば、ポリエステル樹脂、エポキシ樹脂、アクリル樹脂、繊維強化プラスチックなどでもよいが、一体化しやすく、射出成形による成形性、機械強度、耐候性、耐熱性に優れたプラスチックであることが好ましい。
【００２４】
本発明の実施例１の植物栽培用容器１では、土や草木等を入れる側である上面の上縁部２１の口径が６７ｍｍであり、底面は外接円の直径（対角長）が５０ｍｍである六角形で、高さが５６ｍｍであるが、大きさや形はこれに限られない。例えば、底面や上面の形状は、円形でも楕円形でも長方形でも多角形でもよいし、側面視が長方形、台形、楕円形、その他複雑な形状であってもよい。射出成形で製造するため、金型さえ作れば植物栽培用容器１の形状や大きさは、いずれも自由に形成できる。
【００２５】
本発明の実施例１の植物栽培用容器１の底側部品３では、底面の一部に、底側部品３の射出成形時に一体形成されるメッシュ部３１を有するが、メッシュ部３１は、底面部の全面であってもよく、また、底面部だけでなく側壁部の一部若しくは全面がメッシュ部３１であってもよい。メッシュ部３１は、インサート品ではなく、底側部品３を形成する際に同時に形成される。
【００２６】
本発明の実施例１の植物栽培用容器１の底側部品３では、メッシュ部３１の各穴は１辺が０．４ｍｍの正方形である角型であるが、１辺が０．２ｍｍ以上１．５ｍｍ以下の正方形の角型であってもよいし、短辺が０．２ｍｍ以上１．５ｍｍ以下の長方形の角型であってもよい。また、各穴は、直径が０．２ｍｍ以上１．５ｍｍ以下の円形や、短径(短軸の長さ)が０．２ｍｍ以上１．５ｍｍ以下の楕円形でもよい。また、メッシュ部３１の代わりにスリット部であってもよい。スリット部の場合は、スリット穴の短辺が０．２ｍｍ以上１．５ｍｍ以下であることが好ましい。
【００２７】
底側部品３が肉厚で、植物栽培用容器内側と植物栽培用容器外側で穴径が異なる場合、上記サイズは、穴径の大きいほうの面でのサイズとする。
【００２８】
各穴の短辺又は短径が１．５ｍｍより大きいと、土漏れが生じたり虫が侵入するおそれが生じるし、各穴の短辺又は短径が０．２ｍｍ未満では、毛細管現象により通水性が悪くなり、また通気性も悪くなる。
【００２９】
例えば、アブラムシ類では、マメアブラムシは体長が０．５〜１．５ｍｍ程度、ソラマメヒゲナガアブラムシやエンドウヒゲナガアブラムシは体長が１〜３ｍｍ程度と言われており、本実施例によれば、各穴の短辺又は短径が１．５ｍｍ以下であるので、虫の侵入を一定程度防止できると言える。
【００３０】
メッシュ部３１の各穴の１辺が０．４ｍｍの正方形である植物栽培用容器１では、通気性及び通水性に優れ、土漏れも虫の侵入も観察されなかった。短辺が２．０ｍｍの正方形の穴にすると土漏れが生じ、０．１ｍｍの正方形の穴にすると毛細管現象により水はけが、ほとんどできなかった。
【００３１】
メッシュ部の代わりにスリット部とした場合は、短辺が１．５ｍｍより大きいと、土漏れが生じたり虫が侵入するおそれが生じるし、短辺が０．２ｍｍ未満では、毛細管現象により通水性が悪くなり、また通気性も悪くなる。
【００３２】
（製造方法）
上側部品２と底側部品３をそれぞれ射出成形で成形する。
【００３３】
本発明の実施例１の植物栽培用容器１の底側部品３は、メッシュ部３１も含めて２回の射出成形で作成する。射出成形時に、メッシュ部３１へは畝部３２を通ってメッシュの各穴（開口）の縁部分に均一に樹脂が流入させて微細な開口を有するメッシュ部３１を形成する。金型内で発生するガスを効率よく放出させて、微細なメッシュを底面部に有する植物栽培用容器をインサート品なしで実現する。
【００３４】
上側部品２の下縁と底側部品３の上縁とを溶着する。溶着によって、上側部品２の下縁と底側部品３の上縁が一体となる境界部４で互いに固着され、完成となる。境界部４の形状は自由に形成できる。
【００３５】
メッシュ部３１は、インサート成形しないので、メッシュ部をインサート成形する工程を要せず、したがって、製造コストを抑えることができ、製造時間も短縮できる。
【００３６】
(効果)
本発明の実施例１の植物栽培用容器によれば、上述した構成であるので、通気性・通水性がよく、かつ土漏れが生じにくく、また虫が植物栽培用容器内に侵入しにくく、かつ製造コストが安い。素焼きの植物栽培用容器に比べて軽量で、割れにくく、金型によって形状を自由に形成でき、成形性や量産性に富み、かつプラスチック製ながら通気性・通水性に優れ、土漏れや虫混入を防止でき、かつ製造コストが安い。
【００３７】
本発明の実施例１の植物栽培用容器１は、微細メッシュを実現するのに網を入れる必要がなく、また、不織布等とのインサート成形の必要がない。畝部３２は植物栽培用容器１の外側面にあり、内側面には突起や窪みがない。したがって、植え替え時にメッシュ部３１を失くす心配がないだけでなく、底側部品３の表面とメッシュ部３１との間に段差がなく、通水性を妨げず、また、製造の工程数が減るために製造コストが減り、また製造時間も短縮できる。また、軽量で、金型によって自由な形状とすることができる。
【００３８】
｛植物栽培用容器：実施例２｝
本発明の実施例２の植物栽培用容器の構造について図を用いて説明する。
【００３９】
（構成）
図８は、本発明の実施例２の植物栽培用容器の斜視図である。図８では底面側を上にして伏せた状態を示す。図９は、本発明の実施例２の植物栽培用容器の正面図である。背面図は正面図と対称である。図１０は、本発明の実施例２の植物栽培用容器の左側面図である。右側面図は左側面図と対称である。図１１は、本発明の実施例２の植物栽培用容器の平面図である。図１２は、本発明の実施例２の植物栽培用容器の底面図である。図１３は、本発明の実施例２の植物栽培用容器のＡ-Ａ断面図である。図１４は、本発明の実施例２の植物栽培用容器のＡ-Ａ断面一部拡大図である。
【００４０】
本発明の実施例２の植物栽培用容器１は、側壁部７と底面部５とを有し上面が開口したプラスチック成形体である植物栽培用容器１であって、底面部５の一部及び側壁部７の下部の一部にメッシュ部３１を有し、植物栽培用容器１の内側に突設された１２個のリブ６を有し、メッシュ部３１及びリブ６が、側壁部７及び底面部５の射出成形時に一体形成されるものであって、メッシュ部が、角型の多数の穴すなわち開口となっており、各穴は、底内面側では０．３ｍｍ角の正方形であり、底外面側では０．４ｍｍ角の正方形となっており、側壁部７の下部が底面部５と成す外角は４５°である。本実施例では、側壁部７は、底面部５から上方へ向かって２段階で拡径する傾斜を有する。側壁部７において、傾斜度合いが大きく変わる上方を上部、下方を下部とする。メッシュ部３１は、底面部５に円形に形成され、その円縁から側壁部７の下部各辺に１本ずつ、７.０ｍｍ幅１５ｍｍ長の長方形状に、底面部５から側壁部７の下部上方へと延びて形成されている。
【００４１】
メッシュ部の各穴の大きさは、本実施例では、外面側の方が内面側より穴が大きいが、逆であってもよいし、両面同じ大きさであってもよい。また、穴の形は、円形若しくは楕円形の丸型又は正方形若しくは長方形の角型であってもよい。各穴の大きさは、穴の短辺又は短径が０．２ｍｍ以上１．５ｍｍ以下であることが好ましい。本実施例では、植物栽培用容器１の側壁部７下部と底面とが成す外角(図１４で示すα)は４５°であり、側壁部７上部と底面とが成す外角(図１４で示すβ)では８０°であり緩やかにカーブし上縁では８５°に至るが、これに限られない。側壁部７の上部及び下部はそれぞれ、平面でも、外側にふくらみを有する曲面でもよい。側壁部７の下部が底面部５と成す外角は、５°以上４５°以下であることが好ましい。各穴は、底内面側では０．３ｍｍ角の正方形であり、底外面側では０．４ｍｍ角の正方形となっている。各穴の大きさは、本実施例では、外面側の方が内面側より穴が大きいが、逆であってもよいし、両面同じ大きさであってもよい。また、穴の形は、円形若しくは楕円形の丸型又は正方形若しくは長方形の角型であってもよい。各穴の大きさは、穴の短辺又は短径が０．２ｍｍ以上１．５ｍｍ以下であることが好ましい。また、本実施例では、底面部５の円形のメッシュ部３１中央部から円周部に向かって放射状に畝部３２を有する。
【００４２】
リブ６は、底面部５から側壁部７の下部各辺において上方へと延びて形成された６本の長方形状のメッシュ部３１の両脇に１個ずつ、計１２個設けられている。
【００４３】
射出成形時には、ガスベント機能を有するエジェクタピンを使用して、メッシュ部３１中央から放射状に設けられた畝部３２へと樹脂を流し、メッシュ部３１の微細なメッシュの隅々まで樹脂を行きわたらせる。本実施例によれば、金型内で発生するガスを効率よく外に逃して、インサート品を使用せずにメッシュ部３１を植物栽培用容器１内に形成することができる。また、成形不良の低減、生産性の向上を図ることができる。
【００４４】
本発明の実施例２の植物栽培用容器１は、全体がポリプロピレン樹脂であるが、これに限定されない。例えば、ポリエステル樹脂、エポキシ樹脂、アクリル樹脂、繊維強化プラスチックなどでもよいが、射出成形による成形性、機械強度、耐候性、耐熱性に優れたプラスチックであることが好ましい。本実施例では、側壁部の下部に延びたメッシュ部を有するので、その穴から草木の根の部分に外光が当たることで、草木の生育を促すことが可能となる。また、植物栽培用容器内部の状態を、土を取り出さずに見ることができるので、根の張り方や土の状態を植物栽培用容器から植物を取り出さずに観察することができる。例えば、根が張りすぎている等の問題を植物栽培用容器に入れたまま知ることができるので、植え替え時期等を的確に知ることができる。また、根が容器内で巻いてしまうサークリング現象を防止できる。本実施例では、さらにリブが１２個設けてあるので、サークリング現象をより防止できる。
【００４５】
本発明の実施例２の植物栽培用容器１では、土や草木等を入れる側である上面の上縁部は口径（ここでは、外接円の直径（対角長））が１２０ｍｍである六角形であり、底面も六角形で、高さが１００ｍｍである通常の４号鉢相当の大きさであるが、大きさや形はこれに限られない。例えば、底面や上面の形状は、円形でも楕円形でも長方形でも多角形でもよいし、側面視が長方形、台形、楕円形、その他複雑な形状であってもよい。射出成形で製造するため、金型さえ作れば植物栽培用容器１の形状は自由に形成できる。
【００４６】
本発明の実施例２の植物栽培用容器１の底側部品３では、底面の一部及び側壁部７の下部の一部に、植物栽培用容器１の射出成形時に一体形成されるメッシュ部３１を有するが、メッシュ部３１は、底面部５の全面及び側壁部７の下部の一部若しくは全面がメッシュ部３１であってもよい。メッシュ部３１は、インサート品ではなく、植物栽培用容器１を形成する際に同時に形成される。
【００４７】
本発明の実施例２の植物栽培用容器１の底側部品３では、メッシュ部３１の各穴は１辺が０．４ｍｍの正方形である角型であるが、１辺が０．２ｍｍ以上１．５ｍｍ以下の正方形の角型であってもよいし、短辺が０．２ｍｍ以上１．５ｍｍ以下の長方形の角型であってもよい。また、各穴は、直径が０．２ｍｍ以上１．５ｍｍ以下の円形や、短径(短軸の長さ)が０．２ｍｍ以上１．５ｍｍ以下の楕円形でもよい。また、メッシュ部３１の代わりにスリット部であってもよい。スリット部の場合は、スリット穴の短辺が０．２ｍｍ以上１．５ｍｍ以下であることが好ましい。
【００４８】
植物栽培用容器１が肉厚で、植物栽培用容器内側と植物栽培用容器外側で穴径が異なる場合、上記サイズは、穴径の大きいほうの面でのサイズとする。
【００４９】
各穴の短辺又は短径が１．５ｍｍより大きいと、土漏れが生じたり虫が侵入するおそれが生じるし、穴の短辺又は短径が０．２ｍｍ未満では、毛細管現象により通水性が悪くなり、また通気性も悪くなる。
【００５０】
本実施例によれば、穴の短辺又は短径が１．５ｍｍ以下であるので、虫の侵入を一定程度防止できる。
【００５１】
メッシュ部３１の穴の１辺が０．４ｍｍの正方形である植物栽培用容器１では、通気性及び通水性に優れ、土漏れも虫の侵入も観察されなかった。短辺が２．０ｍｍの正方形の穴にすると土漏れが生じ、０．１ｍｍの正方形の穴にすると土なしであれば通水するが土を入れると水はけが悪かった。
【００５２】
（製造方法）
本発明の実施例２の植物栽培用容器１は、１回の射出成形で形成する。
【００５３】
本発明の実施例２の植物栽培用容器１は、メッシュ部３１も含めて１回の射出成形で作成する。射出成形時に、メッシュ部３１へは畝部３２を通ってメッシュの各穴（開口）の縁部分に均一に樹脂が流入させて微細な開口を有するメッシュ部３１を形成する。金型内で発生するガスを効率よく放出させて、微細なメッシュを側壁部の下部及び底面部に有する植物栽培用容器をインサート品なしで実現する。
【００５４】
メッシュ部３１は、インサート成形しないので、メッシュ部をインサート成形する工程を要せず、したがって、製造コストを抑えることができ、製造時間も短縮できる。
【００５５】
(効果)
本発明の実施例２の植物栽培用容器によれば、上述した構成であるので、通気性・通水性がよく、かつ土漏れが生じにくく、また虫が植物栽培用容器内に侵入しにくく、かつ製造コストが安い。素焼きの植物栽培用容器に比べて軽量で、割れにくく、金型によって形状を自由に形成でき、成形性や量産性に富み、かつプラスチック製ながら通気性・通水性に優れ、土漏れや虫混入を防止でき、かつ製造コストが安い。
【００５６】
本発明の実施例２の植物栽培用容器１は、微細メッシュを実現するのに網を入れる必要がなく、また、不織布等とのインサート成形の必要がない。畝部３２は植物栽培用容器１の外側面にある。したがって、植え替え時にメッシュ部３１を失くす心配がないだけでなく、底面部５の表面と円形のメッシュ部３１との間に段差がなく、通水性を妨げず、また、製造の工程数が減るために製造コストが減り、また製造時間も短縮できる。また、軽量で、金型によって自由な形状とすることができる。
【００５７】
さらに、本発明の実施例２の植物栽培用容器１は、リブ部を有し、かつ側面のメッシュ部からも光が入り、したがって、サークリング現象を抑えることができる。
【００５８】
なお、本発明は、上記実施の形態に限定されず、その発明の趣旨を逸脱しない範囲で種々と変形実施が可能である。
【符号の説明】
【００５９】
１      植物栽培用容器
２      上側部品
２１    上縁部
３      底側部品
３１    メッシュ部
３２    畝部
４      境界部
５      底面部
６      リブ
７      側壁部
【図１】
2016214177.tif 000003
【図２】
2016214177.tif 000004
【図３】
2016214177.tif 000005
【図４】
2016214177.tif 000006
【図５】
2016214177.tif 000007
【図６】
2016214177.tif 000008
【図７】
2016214177.tif 000009
【図８】
2016214177.tif 000010
【図９】
2016214177.tif 000011
【図１０】
2016214177.tif 000012
【図１１】
2016214177.tif 000013
【図１２】
2016214177.tif 000014
【図１３】
2016214177.tif 000015
【図１４】
2016214177.tif 000016